(57)【要約】【課題】携帯型録音装置１０において、録音初期時の録音ボタン１４の操作音や携帯型録音装置１０を所定場所に置く時の置き音が録音されるのを防止しつつ、小さい音の録音を確保し、録音の頭切れも回避する。【解決手段】タッチスイッチ１９は、圧電素子等の非変位式ユーザ操作部材から構成され、操作音を発生しないものとして、携帯型録音装置１０に配備される。ユーザは、録音ボタン１４を押して、録音待機状態にしてから（Ｓ２６）、タッチスイッチ１９にタッチする（Ｓ３３）。そして、タッチを維持したまま、録音待機状態から録音開始状態へ移行させるために録音ボタン１４を押す（Ｓ３５）。タッチスイッチ１９のタッチ期間では、録音開始指示があっても、録音開始が保留さる。その後、ユーザがタッチスイッチ１９から指を離すと（Ｓ３６）、録音が開始する（Ｓ３８）。【選択図】図２
2009295236.tif 000002
【特許請求の範囲】
【請求項１】
録音操作部材が操作されたことを検出する録音操作手段、
非変位式ユーザ操作部材がユーザによりタッチされているか否かを検出するタッチ検出手段、
前記非変位式ユーザ操作部材がタッチ状態にある期間の前記録音操作部材へのユーザ操作に対して録音開始を保留する録音開始保留手段、及び
前記録音開始保留手段が録音開始を保留している場合に、前記非変位式ユーザ操作部材が非タッチ状態になるのに伴い、保留を解除して録音を開始する保留解除手段、
を備えることを特徴とする録音装置。
【請求項２】
録音操作部材に対するユーザ操作は１回目が録音待機指示、２回目が録音開始指示に設定されており、
前記録音開始保留手段は、録音待機指示による録音待機状態になっている期間であってかつユーザが非変位式ユーザ操作部材をタッチしている期間における録音開始指示に対して録音開始を保留するようになっていることを特徴とする請求項１記載の録音装置。
【請求項３】
前記録音開始保留手段が録音開始を保留している場合に前記非変位式ユーザ操作部材がタッチ状態にある期間が所定時間を超えたときには、録音待機状態前の録音待機指示待ち状態に戻す状態戻し手段、
を備えることを特徴とする請求項２記載の録音装置。
【請求項４】
前記非変位式ユーザ操作部材がタッチ状態にある期間では、録音ゲインを所定レベル以下に保持する録音ゲイン制御手段、
を備えることを特徴とする請求項１〜３のいずれかに記載の録音装置。
【請求項５】
前記録音ゲイン制御手段は、前記非変位式ユーザ操作部材がタッチ状態にある期間の開始時及び終了時にそれぞれ録音ゲインを漸減及び漸増させることを特徴とする請求項４記載の録音装置。
【請求項６】
録音操作部材及び非変位式ユーザ操作部材を備える録音装置の制御方法であって、
前記非変位式ユーザ操作部材がタッチ状態にある期間の前記録音操作部材へのユーザ操作に対して録音開始を保留する録音開始保留ステップ、及び
前記録音開始保留ステップにおいて録音開始を保留している場合に、前記非変位式ユーザ操作部材が非タッチ状態になるのに伴い、保留を解除して録音を開始する保留解除ステップ、
を備えることを特徴とする制御方法。
【請求項７】
請求項１〜５のいずれかに記載の録音装置の各手段としてコンピュータを機能させるプログラム。
【発明の詳細な説明】
【技術分野】
【０００１】
本発明は、操作音が録音されるのを有効に抑制する機能を装備する録音装置、制御方法及びプログラムに関するものである。
【背景技術】
【０００２】
ボイスレコーダ等の録音装置では、録音ボタン等の操作部とマイクロホンとは接近して配置されている。ユーザが録音ボタンを操作するのに伴い、録音が開始されるが、録音ボタンの操作音が、マイクロホンに集音されて、録音されてしまう。また、録音開始してから、録音装置を机等の所定の置き場所に置く時の置き音も録音されてしまう。
【０００３】
特許文献１は、録音待機状態において、所定起動レベルの音声を入力すると、すなわち有音であると、録音を自動的に開始し、また、入力される音声が所定レベル以下になると、すなわち無音であると、録音を自動的に停止する録音装置について言及する（特許文献１の段落０００２）。該録音装置では、該所定レベルを録音ボタンの操作音より少し高いレベルに設定しておけば、操作音は録音せずに済む。
【０００４】
特許文献２は、録音ボタンのクリック音が録音されてしまうことを防止した録音装置を開示する（特許文献２の段落０００７）。該録音装置は、録音ボタンが操作されると、直ちに録音を開始せずに、クリック音が十分に減衰するのを待ってから、録音を開始するようにしている（特許文献２の図６（Ａ），（Ｆ），（Ｇ））。
【特許文献１】特開平９−１７０５９号公報
【特許文献２】特開平１０−９１１９７号公報
【発明の開示】
【発明が解決しようとする課題】
【０００５】
特許文献１の録音装置では、録音ボタンの操作音が録音されることを防止することができるものの、ノイズではない録音すべき音も、所定レベル未満である場合には、無音と判断されて、録音されなくなってしまう。
【０００６】
特許文献２の録音装置では、ユーザが録音指示を出して、一定時間が経過してから、録音が開始されるので、録音に頭切れが生じてしまう。
【０００７】
本発明の目的は、録音操作部材の操作音や置き音等の不要な音を録音されないようにしつつ、録音すべき音については操作音程度の小さなものも適格に録音できるようにし、かつ頭切れを防止することができる録音装置、制御方法及びプログラムを提供することである。
【課題を解決するための手段】
【０００８】
本発明によれば、録音操作部材の他に、非変位式ユーザ操作部材を利用する。ユーザは非変位式ユーザ操作部材に対して該非変位式ユーザ操作部材を指でタッチ操作することによりユーザ指示を出すものである。非変位式ユーザ操作部材は、それが非変位式であるので、操作音を生じさせない。本発明では、ユーザは、非変位式ユーザ操作部材にタッチしつつ、録音操作部材を操作し、その後、非変位式ユーザ操作部材から指を離すと、録音装置は録音を開始するようにされる。
【０００９】
本発明の録音装置は次のものを備えている。
録音操作部材が操作されたことを検出する録音操作手段、
非変位式ユーザ操作部材がユーザによりタッチされているか否かを検出するタッチ検出手段、
前記非変位式ユーザ操作部材がタッチ状態にある期間の前記録音操作部材へのユーザ操作に対して録音開始を保留する録音開始保留手段、及び
前記録音開始保留手段が録音開始を保留している場合に、前記非変位式ユーザ操作部材が非タッチ状態になるのに伴い、保留を解除して録音を開始する保留解除手段。
【００１０】
本発明の制御方法は、録音操作部材及び非変位式ユーザ操作部材を備える録音装置の制御方法であって、次のものをステップを備えている。
前記非変位式ユーザ操作部材がタッチ状態にある期間の前記録音操作部材へのユーザ操作に対して録音開始を保留する録音開始保留ステップ、及び
前記録音開始保留ステップにおいて録音開始を保留している場合に、前記非変位式ユーザ操作部材が非タッチ状態になるのに伴い、保留を解除して録音を開始する保留解除ステップ。
【００１１】
本発明のプログラムは、本発明の前述の録音装置の各手段としてコンピュータを機能させる。
【発明の効果】
【００１２】
本発明によれば、ユーザは、非変位式ユーザ操作部材にタッチしている期間に、録音操作部材を操作し、その後、非変位式ユーザ操作部材から指を離すと、録音が開始されるので、録音操作部材の操作音や録音装置の置き音等が録音されることを防止することができる。また、所定レベルを設定して、該所定レベル以下の音は、録音しないというものではないので、録音開始後は操作音程度の小さな音も録音することができる。さらに、ユーザが非変位式ユーザ操作部材から指を離ししだい、録音が開始されるので、録音の頭切れを有効に防止することができる。
【発明を実施するための最良の形態】
【００１３】
図１は携帯型録音装置１０をその正面から見た図である。該携帯型録音装置１０は、内蔵のフラッシュメモリを装備するとともに、ＳＤカードを着脱自在にしている。ユーザは、内蔵メモリ及びＳＤカードのどちらかを選択して、それに録音ファイルを例えばＷＭＡ形式で格納することができる。内蔵メモリ及びＳＤカードには、録音ファイルの他に、ＷＭＡやＭＰ３の楽曲ファイルを格納することができ、ユーザは、携帯型録音装置１０をＤＡＰ（デジタルオーディオプレーヤ；Digital Audio Player）として使用して、録音ファイルだけでなく、ＣＤ等からクリップした楽曲ファイルについてそれを適宜再生することができるようになっている。
【００１４】
携帯型録音装置１０は、上側面に中央マイクロホン１１、及び上端部の左右側面に左右のマイクロホン１２ｌ，１２ｒをそれぞれ有している。携帯型録音装置１０の正面は、ほぼ上半部及びほぼ下半部がそれぞれ表示器１３及び操作部となっている。表示器１３は各種情報を表示する。下半部の操作部には録音ボタン１４、再生／停止ボタン１５、音量アップボタン１６ｕ及び音量ダウンボタン１６ｄ等が含まれる。
【００１５】
録音ボタン１４は、ユーザが録音待機及び録音開始を指示する際に押されるものである。再生／停止ボタン１５は、ユーザがそれを押すごとに再生と再生停止とが交互に切替えられる。音量アップボタン１６ｕ及び音量ダウンボタン１６ｄは、ユーザがそれを押すごとに、図示しないヘッドホンからの再生音の音量が所定量ずつ増大及び減少するようになっている。
【００１６】
タッチスイッチ１９は、例えば圧電素子や光素子から構成され、携帯型録音装置１０の左の側面に配備される。タッチスイッチ１９が圧電素子から構成される場合には、ユーザが該圧電素子に指でタッチすると、その圧力が感知される。この場合、タッチスイッチ１９は圧力に基づきユーザがそれにタッチしているか否かを検出する。タッチスイッチ１９が光素子から構成される場合には、該光素子は、発光部と光検出部とを含み、ユーザがタッチスイッチ１９を指でタッチすると、発光部から光検出部への光経路が遮断されて、光検出部は発光部からの光の入射を検知できなくなる。この場合、タッチスイッチ１９は、発光部から光検出部への光の入射の有無に基づきユーザがタッチしているか否かを検出する。
【００１７】
図２は録音開始時のユーザ操作及びそれに対する携帯型録音装置１０の処理についてのフローチャートである。Ｓ２６では、ユーザは録音ボタン１４を押し、携帯型録音装置１０を録音待機状態にする。携帯型録音装置１０は、ユーザが録音ボタン１４に対する２回の操作について、１回目の押し操作は録音待機指示、２回目の押し操作は録音開始指示と判断して、対応の処理を実施する。Ｓ２６における録音ボタン１４の押し操作は１回目のものであり、録音は、まだ開始せず、その時の操作音は当然に録音されない。
【００１８】
Ｓ２６の後、Ｓ２７へ進む場合と、Ｓ３３へ進む場合とがある。ユーザがタッチスイッチ１９に触れない（タッチしない）場合には、Ｓ２７へ進み、タッチスイッチ１９に触れる（タッチする）場合には、Ｓ３３へ進む。Ｓ２７へ進む場合について先に説明する。
【００１９】
Ｓ２７では、ユーザはタッチスイッチ１９を触れないで、Ｓ２８では、ユーザは録音ボタン１４に対して２回目の押し操作を行って、携帯型録音装置１０を録音開始状態にする。これに伴い、携帯型録音装置１０は直ちにＳ２９において録音開始する。Ｓ２６→Ｓ２７→Ｓ２８→Ｓ２９の流れは、従来の録音処理であり、この場合、録音ボタン１４の操作音が録音されてしまう。
【００２０】
Ｓ３３では、ユーザはタッチスイッチ１９に触れる．これに伴い、Ｓ３４では、携帯型録音装置１０は録音ゲインを設定レベルから減衰させる。携帯型録音装置１０が録音ゲインの減衰させる具体的な仕方は図３及び図４において後述する。録音ゲインの減衰は、所定レベルへの減衰であってもよいし、録音ゲイン＝０の消音であってよい。
【００２１】
Ｓ３５では、ユーザは、録音ボタン１４を押して、携帯型録音装置１０を録音開始状態にする。ユーザがタッチスイッチ１９に触れ続けている間は、録音開始されないので、又はＳ３４において録音ゲインを適度に減衰しているので、Ｓ３５における録音ボタン１４の押し操作時の操作音は録音内容に含まれることはない。Ｓ３５の後、進み先がＳ３６とＳ４２との２つに分かれる。Ｓ３５の後、ユーザがタッチスイッチ１９から指を離す場合には、Ｓ３６へ進み、離さずに、ずっと触れ続けている場合には、Ｓ４２へ進む。Ｓ３６へ進む場合を先に説明する。
【００２２】
Ｓ３６では、ユーザはタッチスイッチ１９から指を離す。Ｓ３７では、携帯型録音装置１０は録音ゲインを設定レベル、すなわちＳ３４より前のレベルへ戻す。Ｓ３８では、携帯型録音装置１０は録音を開始する。タッチスイッチ１９には操作音がないので、Ｓ３６の後、直ちにＳ３８における録音開始が実施されても、操作音が録音されることはない。
【００２３】
Ｓ４２では、ユーザはタッチスイッチ１９から指を離さないので、Ｓ４３では、録音開始しないか、又は一定時間がそのまま経過した時に録音を解除する。ここで録音解除とは、Ｓ２６より前の状態としての録音待機指示待ち状態へ戻ることを言う。
【００２４】
図３は携帯型録音装置１０における録音ゲイン減衰の回路図である。図３では、左マイクロホン１２ｌ用の左音声用減衰部６５ｌ及び右マイクロホン１２ｒ用の右音声用減衰部６５ｒを示し、中央マイクロホン１１用の音声用減衰部についてはその図示を省略しているが、中央マイクロホン１１用の音声用減衰部の構成は左右の音声用減衰部６５ｒ，６５ｌと同一である。増幅部５０は、タッチスイッチ１９の出力を増幅して、左右の音声用減衰部６５ｌ，６５ｒへの共通の制御信号を生成する。タッチスイッチ１９は、ユーザがそれに触れている期間は、オンを維持し、触れていない期間は、オフになる。
【００２５】
増幅部５０において、＋側端子５１及び−側端子５２の対は、タッチスイッチ１９のオン、オフに応じて相互に接続状態及び非接続状態になる。＋側端子５１は、抵抗５３、ＰＮＰトランジスタ５４及び抵抗５５を介してアースへ接続されている。−側端子５２は、コンデンサ５６及び抵抗５７の並列回路を介してアースへ接続されているとともに、演算増幅器５８の正相側入力端子へ接続されている。抵抗５３とＰＮＰトランジスタ５４との交点に＋の所定電圧を印加させている。演算増幅器５８の出力側は、逆相側入力端子へ接続されているとともに、抵抗５９を介してＮＰＮトランジスタ６０のベースへ接続されている。
【００２６】
ＮＰＮトランジスタ６０のエミッタは、アースへ接続されているとともに、抵抗６１を介してベースへ接続されている。ＮＰＮトランジスタ６０のコレクタは、抵抗６２を介してＰＮＰトランジスタ５４のエミッタへ接続されているとともに、抵抗６３を介してＰＮＰトランジスタ５４のベースへ接続されている。ＮＰＮトランジスタ６０のコレクタ電圧は増幅部５０の出力として出力される。
【００２７】
ＰＮＰトランジスタ５４は抵抗６４を介してベースをエミッタへ接続されている。ＰＮＰトランジスタ５４のエミッタには所定の＋の電圧が印加されている。
【００２８】
タッチスイッチ１９がオンとなっている期間では、演算増幅器５８の出力電圧のレベルが上昇し、ＮＰＮトランジスタ６０がオンになり、これに伴い、ＰＮＰトランジスタ５４がオンになる。結果、ＰＮＰトランジスタ５４から左右の音声用減衰部６５ｌ，６５ｒへの制御電圧は高レベルとなる。タッチスイッチ１９がオフとなっている期間では、演算増幅器５８の出力電圧のレベルが下降し、ＮＰＮトランジスタ６０がオフになり、これに伴い、ＰＮＰトランジスタ５４がオフになる。結果、ＰＮＰトランジスタ５４から左右の音声用減衰部６５ｌ，６５ｒへの制御電圧は低レベルとなる。
【００２９】
左右の音声用減衰部６５ｌ，６５ｒは構成が同一であるので、左音声用減衰部６５ｒについてのみ説明する。左マイクロホン１２ｌからのオーディオ信号は、コンデンサ６６、抵抗６７、コンデンサ７１及び抵抗７２を介して演算増幅器７３の逆相側入力端子へ供給される。ＮＰＮトランジスタ６９は、そのベースへ抵抗７０を介してＰＮＰトランジスタ５４からの制御電圧を供給されるとともに、コレクタにおいてアースされ、エミッタにおいて抵抗６８を介して抵抗６７とコンデンサ７１との中間へ接続されている。演算増幅器７３は、その正相側入力端子をアースへ接続されている。演算増幅器７３の出力端子は、抵抗７４を介して正相側入力端子へ接続されているとともに、コンデンサ７５を介して左オーディオアンプ７６ｌへ接続されている。
【００３０】
左音声用減衰部６５ｌがＰＮＰトランジスタ５４から高レベルの制御電圧を入力されている期間、すなわちユーザがタッチスイッチ１９にタッチしている期間では、ＮＰＮトランジスタ６９がオンになり、左マイクロホン１２ｌからのオーディオ信号は、抵抗６７，６８の減衰器により減衰されて、抵抗７４の逆相側入力端子へ供給されるので、左音声用減衰部６５ｌにおける録音ゲインは下降する。これに対して、左音声用減衰部６５ｌがＰＮＰトランジスタ５４から低レベルの制御電圧を入力されている期間、すなわちユーザがタッチスイッチ１９にタッチしていない期間では、ＮＰＮトランジスタ６９がオフになり、左マイクロホン１２ｌからのオーディオ信号は、抵抗６７，６８の減衰器により減衰されることなく、抵抗７４の逆相側入力端子へ供給されるので、左音声用減衰部６５ｌにおける録音ゲインは上昇する。なお、抵抗６７，６８の減衰器における減衰量は抵抗６８が小さいほど増大する。
【００３１】
図４はマイコン７９を介在させて左右の音声用減衰部６５ｌ，６５ｒの録音ゲインを制御する制御回路のブロック図である。図４において、図３のブロックと同一のブロックは、図３の対応ブロックと同一の符号で指示して、説明は省略し、相違点について述べる。図４の制御回路では、図３のＰＮＰトランジスタ５４に代えて、マイコン７９が設けられる。増幅部５０のＮＰＮトランジスタ６０（図３）のコレクタはマイコン７９の入力端子ＩＮへ接続されている。マイコン７９の出力端子ＯＵＴは、左右の音声用減衰部６５ｌ，６５ｒの抵抗７０（図３）へ接続されている。
【００３２】
ユーザがタッチスイッチ１９にタッチしている期間では、増幅部５０のＮＰＮトランジスタ６０（図３）はオンであり、マイコン７９の入力端子ＩＮは低レベルの電圧となっている。これに対して、ユーザがタッチスイッチ１９にタッチしていない期間では、ＮＰＮトランジスタ６０はオフであり、マイコン７９の入力端子ＩＮは高レベルの電圧となっている。マイコン７９は、入力端子ＩＮの電圧が低レベル及び高レベルとなっている場合に、出力端子ＯＵＴにそれぞれ高レベル及び低レベルの制御電圧を生成する。結果、ユーザがタッチスイッチ１９にタッチしている期間では、左右の音声用減衰部６５ｌ，６５ｒのＮＰＮトランジスタ６９（図３）がオンになって、左右の音声用減衰部６５ｌ，６５ｒにおける録音ゲインが下降し、また、ユーザがタッチスイッチ１９にタッチしていない期間では、左右の音声用減衰部６５ｌ，６５ｒのＮＰＮトランジスタ６９がオフになって、左右の音声用減衰部６５ｌ，６５ｒにおける録音ゲインが上昇する。
【００３３】
図５は録音装置８０のブロック図である。録音装置８０の具体例は携帯型録音装置１０である。録音装置８０は携帯式でなくてもよい。録音装置８０は少なくとも１つのマイクロホンを備えていればよい。マイクロホンは、典型的には内蔵式のものであるが、外付けにしてもよい。後述の録音操作部材及び非変位式ユーザ操作部材は、録音装置８０の本体又は外付けのマイクロホンに配備することができる。録音装置８０は録音操作検出手段８１、タッチ検出手段８２、録音開始保留手段８３及び保留解除手段８４を備える。録音装置８０は、さらに、状態戻し手段９０及び録音ゲイン制御手段９１を備えることもできる。
【００３４】
録音操作検出手段８１は、録音操作部材が操作されたことを検出する。タッチ検出手段８２は、非変位式ユーザ操作部材がユーザによりタッチされているか否かを検出する。録音開始保留手段８３は、非変位式ユーザ操作部材がタッチ状態にある期間の録音操作部材へのユーザ操作に対して録音開始を保留する。保留解除手段８４は、録音開始保留手段８３が録音開始を保留している場合に、非変位式ユーザ操作部材が非タッチ状態になるのに伴い、保留を解除し、録音レベルを元に戻して、録音を開始する。
【００３５】
録音操作部材及び非変位式ユーザ操作部材の具体例はそれぞれ図１の録音ボタン１４及びタッチスイッチ１９である。非変位式ユーザ操作部材は、変位がないので、操作音を発生しない。ユーザは、非変位式ユーザ操作部材へのタッチを維持しつつ、録音操作部材を操作し、かつ机等の所定の置き場所に録音装置８０を置く。そして、その後、録音開始すべきと判断した時に、非変位式ユーザ操作部材から指を離す。こうして、録音が開始される。ユーザが非変位式ユーザ操作部材へのタッチを止める時は、録音操作部材の操作音や録音装置８０の置き音が消えた後であるので、操作音や置き音が録音されてしまうことはない。また、非変位式ユーザ操作部材から指を離ししだい、録音が開始されるので、音切れが回避される。
【００３６】
典型的には、録音操作部材に対するユーザ操作は１回目が録音待機指示、２回目が録音開始指示に設定されている。録音開始保留手段８３は、録音待機指示による録音待機状態になっている期間であってかつユーザが非変位式ユーザ操作部材をタッチしている期間における録音開始指示に対して録音開始を保留するようになっている。録音操作部材に対するユーザ操作について１回目を録音待機指示、２回目を録音開始指示に設定することにより、ユーザが誤操作して録音開始させてしまうのを防止することができる。
【００３７】
状態戻し手段９０は、録音開始保留手段が録音開始を保留している場合に、非変位式ユーザ操作部材がタッチ状態にある期間が所定時間を超えたときには、録音待機状態前の録音待機指示待ち状態に戻す。この具体例は、図２のＳ２７→Ｓ２８→Ｓ２９である。ユーザは、非変位式ユーザ操作部材をタッチしてから、このまま録音開始するのは好ましくないと判断することがある。この場合、非変位式ユーザ操作部材へのタッチを止めると、録音開始されてしまうが、所定時間を越えてタッチを維持することにより録音開始を中止することができる。
【００３８】
好ましくは録音装置８０は録音ゲイン制御手段９１を備える。録音ゲイン制御手段９１は、非変位式ユーザ操作部材がタッチ状態にある期間では、録音ゲインを所定レベル以下に保持する。録音ゲイン制御手段９１の具体例は、図３及び図４の左右の音声用減衰部６５ｌ，６５ｒである。好ましくは、録音ゲイン制御手段９１は、非変位式ユーザ操作部材がタッチ状態にある期間の開始時及び終了時にそれぞれ録音ゲインを漸減及び漸増させる。なお、録音ゲインの漸減及び漸増は、録音オーディオ再生時のオーディオのフェードアウト及びフェードインに対応する。
【００３９】
録音装置８０のユーザは、録音開始後の録音期間の途中又は終了時に、録音したくないノイズ音（例：録音終了ボタンの操作音）があるノイズ期間に遭遇することがある。その場合、ユーザは非変位式ユーザ操作部材に適宜タッチすることにより、録音開始後におけるノイズ期間の音を減衰又は消音した録音を行うことができる。
【００４０】
図６は録音装置制御方法１００のフローチャートである。録音装置制御方法１００は、図５の録音装置８０に適用されるものである。
【００４１】
Ｓ１０１では、非変位式ユーザ操作部材がタッチ状態にある期間の録音操作部材へのユーザ操作に対して録音開始を保留する。Ｓ１０２では、非変位式ユーザ操作部材が非タッチ状態になったか否かを判定し、判定が正になりしだい、Ｓ１０３へ進む。Ｓ１０３では、保留を解除して録音を開始する。
【００４２】
Ｓ１０１の処理は録音装置８０の録音開始保留手段８３の機能に対応している。Ｓ１０２，Ｓ１０３の処理は録音装置８０の保留解除手段８４の機能に対応している。したがって、録音開始保留手段８３及び保留解除手段８４の機能について述べた具体的態様はＳ１０１及びＳ１０２，Ｓ１０３の処理についての具体的態様としても適用可能である。録音装置制御方法１００では、また、録音装置８０の状態戻し手段９０及び録音ゲイン制御手段９１の機能に対応する処理を実行するステップを適宜、追加可能である。
【００４３】
本発明を適用したプログラムは、コンピュータを録音装置８０の各手段として機能させる。本発明を適用した別のプログラムは、録音装置制御方法１００の各ステップをコンピュータに実行させる。
【００４４】
本明細書は様々な範囲及びレベルの発明を開示している。それら発明は、本明細書で説明した様々な技術的範囲及び具体的レベルの各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００４５】
【図１】携帯型録音装置をその正面から見た図である。
【図２】録音開始時のユーザ操作及びそれに対する携帯型録音装置の処理についてのフローチャートである。
【図３】携帯型録音装置における録音ゲイン減衰の回路図である。
【図４】マイコンを介在させて音声用減衰部の録音ゲインを制御する制御回路のブロック図である。
【図５】録音装置のブロック図である。
【図６】録音装置制御方法のフローチャートである。
【符号の説明】
【００４６】
８０：録音装置、８１：録音操作検出手段、８２：タッチ検出手段、８３：録音開始保留手段、８４：保留解除手段、９０：状態戻し手段、９１：録音ゲイン制御手段、１００：録音装置制御方法。
【図１】
2009295236.tif 000003
【図２】
2009295236.tif 000004
【図３】
2009295236.tif 000005
【図４】
2009295236.tif 000006
【図５】
2009295236.tif 000007
【図６】
2009295236.tif 000008